【事件の表示】
　特願２０１３−５５３２７３「電子機器及び電子機器の制御方法」拒絶査定不服審判事件〔平成２５年　７月１８日国際公開、ＷＯ２０１３／１０５５１６〕について、次のとおり審決する。
【結　論】
　本件審判の請求は、成り立たない。
【理　由】
１．手続の経緯
　本願は、２０１３年１月１１日を国際出願日とする出願（優先権主張２０１２年１月１３日）であって、平成２７年１月１４日付けで拒絶理由が通知され、同年３月２０日に手続補正がされるとともに意見書が提出され、平成２７年６月２５日付けで拒絶査定がなされ（発送日：同月３０日）、これに対して平成２７年９月２９日に拒絶査定不服審判の請求がなされたものである。
　
　
２．本願発明
　本願の請求項１に係る発明（以下、「本願発明」という。）は、平成２７年３月２０日付け手続補正書の特許請求の範囲に記載された次のとおりのものである。
　「パネルに接触している接触物に触感を呈示する触感呈示部と、
　前記パネルに対する押圧に基づく電圧と当該電圧に対応する電圧閾値とに基づいて前記触感呈示部を制御する制御部と、を備え、
　前記制御部は、前記触感呈示部が触感を呈示した後、前記パネルに対する押圧に基づく電圧に応じて前記電圧閾値を変更する、ことを特徴とする電子機器。」
３．引用例、引用発明について
　原査定の拒絶の理由に引用された、本願優先日前に公開された、国際公開第２０１１／２４４５７号（以下、「引用例」という。）には、図面とともに以下の記載がある（下線は当審において付与。以下同様。）。 
ア　段落［０００２］（「技術分野」）
「本発明は、入力装置に関するものであり、特に、押圧面積に応じて、入力を複数段階で受け付ける入力装置に関するものである。」
イ　段落［０００３］−［００１２］（「背景技術」）
「従来、
携帯電話機やゲーム機、デジタルカメラ等をはじめとする各種の電子機器に
操作者が操作入力を行うための入力装置
使用されている
　　・・・（中略）・・・
　以上のような問題に対処し得るものとして、１つのスイッチに対する
入力の態様に応じて、複数の動作を割り当てることができ
　この特許文献１に記載の入力装置は、操作を行う際の入力にかかる操作力（押圧力）に応じて、入力を２段階で受け付けることができる。
　　・・・（中略）・・・
　このような入力装置は、
操作者の入力の押圧力に応じて入力を２段階で受け付けることにより、これらの各段階に異なる動作を割り当てることができ
　すなわち、このような２段階の入力を受け付ける入力装置によれば、
操作者が弱い押圧力によってボタンを押圧する状態を保つことにより、１段目の入力を行うことができ
このような入力状態は、「半押し」とも称され、以下、「第１段階の入力」と記
操作者が第１段階の入力よりも強い押圧力によってボタンを押し込むことにより、２段目の入力を行うことができ
このような入力状態は、「全押し」とも称され、以下、「第２段階の入力」と記
　　・・・（中略）・・・
　なお、押圧力に応じて複数段階の入力を受け付ける入力装置は、メカスイッチに限定されるものではない。例えば、表示装置と位置入力装置とを組み合わせて構成したタッチパネル式の入力装置においても、ソフトウェアによる処理を行うことにより、押圧力に応じて複数段階の入力を受け付ける入力装置が提案されている（例えば、特許文献２参照）。」
ウ　段落［００２４］−［００２６］（「発明が解決しようとする課題」）
「例えば、上記した入力装置をカメラのシャッターボタンに適用した場合、操作者の
押圧力の調整が適切になされずに
ピント外れの画像が撮影されたりする恐れがある
押圧力に応じて何かの量などを調整する処理を行う場合や
押圧力に応じた段階的な処理を割り当てる場合も
操作者の意図しない動作が行われる不都合が想定される
　このように、各段階の入力を受け付ける閾値を固定値としてしまうと、操作者の意図しない入力がされてしまうという問題が残る。操作者の意図しない入力がなされてしまうと、このような操作入力は、入力装置にとっては正当な処理手順にしたがって動作を行っているだけであるが、操作者にとっては誤動作でしかない。
　したがって、かかる事情に鑑みてなされた
本発明の目的は
押圧力に基づく押圧面積に応じた複数段階の入力を、操作者の操作ごとに異なる押圧力にて受け付けることができる入力装置を提供すること
　
エ　段落［００３７］（「発明の効果」）
「本発明の入力装置によれば、面積検出部が、第１段階の入力を受け付ける第１の基準を満たす押圧面積を検出する毎に、第２段階の入力を受け付ける第２の基準が設定される。すなわち、本発明の入力装置は、
操作者がその都度操作を行う際に、第２段階の入力を受け付ける面積の基準値を設定する
押圧面積を加え過ぎてしまい
意図せずに第２段階の入力までしてしまうという問題は解消される
　
オ　段落［００３９］（「発明を実施するための形態」）
「以下、本発明の各実施の形態について、図面を参照して説明する。以下の各実施の形態においては、本発明の入力装置の一例として、携帯電話やＰＤＡなどのような携帯端末であってタッチパネルを備えているものを想定して説明する。しかしながら、本発明の入力装置は、これらの携帯端末に限定されるものではなく、例えば、デジタルカメラ、ポータブルオーディオプレーヤ、ノートＰＣ、ミニノートＰＣ、ゲーム機などの、入力装置を備える種々の端末とすることができる。また、本発明の入力装置は、携帯端末に限定されるものでもなく、銀行のＡＴＭや駅の乗車券販売機など、入力装置を備える任意の端末とすることもできる。さらに、本発明の入力装置は、後述するように、タッチパネルを有する端末に限定されるものでもない。本発明は、操作者の操作入力を受け付けるタッチパネルまたは押しボタン（あるいはキー）などのスイッチと、そのスイッチにかかる押圧面積を検出できる機能を有するものであれば、任意の入力装置に適用することができる。」
　
カ　段落［００４０］−［００７７］（「第１実施の形態」）
「図１は、本実施の形態に係る
入力装置１０の内部構成
　制御部２０は、入力装置１０の各機能ブロックをはじめとして入力装置１０の全体を制御および管理する。なお、この制御部２０は、面積検出部４０が検出する押圧面積の時間的な変化率を演算処理により算出する面積変化率算出部２２を備えている。
　本実施の形態では、
タッチパネル３０は、表示部３２と、入力部３４とを備え
　　・・・（中略）・・・
　
面積検出部４０は、タッチパネル３０
に対する押圧面積を検出するもので、例えば、マトリクススイッチで構成
面積検出部４０は必ずしも、正確な押圧面積の数値を検出する必要はな
時間経過と共に押圧面積がどのように変化していくのか検出できればよく、マトリクススイッチにより、検出される入力が始めは１点のみであったのが、２点、３点と円環状に内側から外側へと順次検出されていくことにより押圧面積が増加していると、分かるものであれば良
入力部３４が光学式である場合は、面積検出部４０は、入力部３４上の赤外線が指やスタイラスペンで遮られた範囲を検出することにより、押圧面積の範囲を検出することができ
　このように、本願では、
操作者が押圧入力をする際に使用する指やスタイラスペンなどの物体と、タッチパネル３０
とが接触した面の面積を「押圧面積」と称
　なお、
入力部３４および面積検出部４０を、マトリクススイッチを用いて構成する場合は、マトリクススイッチを共用して、入力部３４および面積検出部４０を構成することができ
　
振動部５０は、タッチパネル３０
に振動を伝えるもので、
圧電素子または超音波振動子などを用いて構成
この振動部５０が振動することにより、入力部３４を押圧している操作者の指などに対して振動を伝えることができ
振動部５０が報知情報発生部を構成
　　・・・（中略）・・・
　次に、本実施の形態に係る入力装置１０による入力受付処理について説明する。図３は、本実施の形態に係る
入力装置１０による入力受付処理の流れ
　入力装置１０において、制御部２０は、入力部３４に対して操作者の押圧入力がなされたことにより、面積検出部４０が押圧面積を検出したか否かを監視している。入力装置１０による入力受付処理は、面積検出部４０が押圧面積を検出した時点から開始する。入力装置１０による入力受付処理が開始すると、
制御部２０は、操作者の押圧入力による押圧面積が増すことにより、面積検出部４０が、第１段階の入力を受け付ける第１の面積基準を満たす押圧面積を検出したか否かを判定する（ステップＳ１１）
　なお、第１段階の入力を受け付ける第１の面積基準とは、基準となる所定の押圧面積の閾値である。この閾値を超える押圧面積を面積検出部４０が検出した場合、制御部２０は、入力装置１０において規定された第１段階の入力が受け付けられたものとして処理する。また、この第１段階の入力を受け付ける第１の面積基準は、予め設定された所定の押圧面積を閾値とするが、後から操作者の好みに応じて変更できるようにしてもよい。
　ステップＳ１１において、第１段階の入力を受け付ける第１の面積基準を満たす押圧面積が検出されない場合は待ち状態となる。一方、
ステップＳ１１において第１段階の入力を受け付ける第１の面積基準を満たす押圧面積が検出された場合、制御部２０は、報知情報発生部が所定の報知情報を発生するように制御する（ステップＳ１２）
　また、このような処理とともに、
制御部２０は、第１段階の入力を受け付けたことに応じて、入力装置１０において規定された第１段階の入力に対応する動作を行うように処理を行う（ステップＳ１３）
入力装置１０がカメラのシャッターボタンに適用されている場合、ステップＳ１３の処理は、入力装置１０が「半押し」された場合の動作、すなわちＡＥやＡＦを調整する機能をオンにする動作を行うことに相当
　図４は、面積検出部４０によって検出される、操作者の押圧入力の押圧面積が変化する様子を表したグラフである。Ｘ軸方向は時間の推移を表し、Ｙ軸方向は面積検出部４０が検出する押圧面積を表す。図４（Ａ）において、操作者がタッチパネル３０の入力部３４に触れた時点がＰ０であり、そのときの押圧面積がＡｒ０であることを示している。この後、操作者が入力する
押圧力を増大させたため、
押圧面積は徐々増大し
　この時、振動の発生により第１段階の入力が正常に受け付けられたことを認識した操作者は、一気に第２段階の入力まで行われないようにしようとする意識が働くため、入力を行う押圧力を維持する（つまり押圧力の増大を抑制する）動作を行う。ここで、第１段階の入力が正常に受け付けられたことは、振動の発生により、どのような操作者であっても認識できる。しかしながら、第１段階の入力が受け付けられたと操作者が認識した後、その入力の押圧力を維持する際の押圧力は、操作者によってかなりの個人差がある。
　例えば、図４（Ａ）に示す押圧面積のグラフにおいては、押圧面積がＡｒ１に達したＰ１の時点からも、操作者は押圧力を抑制させずにそのまま増大させてから、Ｐｓの時点で押圧力を（増大させずに）維持させている。普段からボタンなどを強く押圧する傾向のある操作者の場合、第１段階の入力が受け付けられて振動部５０による振動が発生してすぐに押圧力を維持させたつもりでも、比較的大きな押圧力で押圧入力を維持することが想定される。
　一方、図４（Ｂ）に示す押圧面積のグラフにおいては、操作者は、押圧面積がＡｒ１に達したＰ１の時点から比較的すぐに押圧力の増大を抑制し、Ｐｓの時点で押圧力を維持させている。普段からボタンなどを弱く押圧する傾向のある操作者の場合、第１段階の入力が受け付けられて振動部５０による振動が発生すると、すぐに押圧力を維持させることが想定される。
　図４（Ａ）に示すＰｓの時点における押圧面積Ａｒｓと、図４（Ｂ）に示すＰｓの時点における押圧面積Ａｒｓとを比較すると、図４（Ｂ）の押圧面積Ａｒｓの方がかなり小さな値であることがわかる。このように、第１段階の入力が受け付けられたと認識した後、操作者がその入力の押圧力を維持する際の押圧力は、かなり個人差があることがわかる。また、同じ操作者においても、操作の度に、第１段階の入力の押圧力を維持する際の押圧力は変動することが想定される。
　そこで、本実施の形態では、第１段階の入力が受け付けられたと操作者が認識した後、操作者が入力の押圧力を維持する時点Ｐｓにおける押圧面積Ａｒｓを基準として、第２段階の入力を受け付ける第２の面積基準Ａｒ２を設定する。すなわち、制御部２０は、第１段階の入力を受け付ける第１の面積基準を満たす押圧面積Ａｒ１を面積検出部４０が検出する毎に、第１の面積基準が満たされた後に面積検出部４０が検出する押圧面積Ａｒｓに基づいて、第２段階の入力を受け付ける第２の面積基準Ａｒ２を設定する。この時、第２段階の入力を受け付ける第２の面積基準Ａｒ２は、第１段階の入力を受け付ける第１の面積基準Ａｒ１より大きい値とする。
　このような処理を行うために、
制御部２０は、操作者が入力の押圧力を維持する時点Ｐｓにおける押圧面積Ａｒｓの決定を行う（ステップＳ１４）
　ここで、押圧面積の変化率が所定値以下に減少する場合の「所定値」とは、例えばゼロに近い小さな値などにして、操作者が入力の押圧力の増大を抑制して押圧力を維持している時点Ｐｓを特定できるようにするのが好適である。なお、図４のグラフに示した曲線の接線の傾きは、面積検出部４０が検出する押圧面積の時間的な変化率を表している。したがって、本実施の形態では、図４において、面積検出部４０が押圧面積Ａｒ１を検出した時点Ｐ１の後、最初にグラフの接線の傾きがゼロに近くなる、すなわちＹ軸とほぼ平行になるような時点Ｐｓにおける押圧面積を押圧面積Ａｒｓとして決定する。
　ステップＳ１４において、押圧面積Ａｒｓが決定されたら、
制御部２０は、押圧面積Ａｒｓに所定の加算幅の値を加えたものを、第２段階の入力を受け付ける第２の面積基準Ａｒ２として設定する（ステップＳ１５）
このようにして設定された第２の面積基準Ａｒ２は、
同じ加算幅の値を付加しても、操作者が入力の押圧力を維持した時点Ｐｓにおける押圧面積Ａｒｓに応じて異なるものにな
　この後、
制御部２０は、操作者の押圧入力による押圧面積が増すことにより、面積検出部４０が、第２段階の入力を受け付ける第２の面積基準を満たす押圧面積を検出したか否かを判定する（ステップＳ１６）
　第２段階の入力を受け付ける第２の面積基準とは、上述の処理により設定した所定の押圧面積の閾値である。このように第２の面積基準が設定された後、この閾値を超える押圧面積を面積検出部４０が検出した場合、制御部２０は、入力装置１０において規定された第２段階の入力が受け付けられたものとして処理する。
　ステップＳ１６において、第２段階の入力を受け付ける第２の面積基準を満たす押圧面積が検出されない場合は待ち状態となる。一方、ステップＳ１６において
第２段階の入力を受け付ける第２の面積基準を満たす押圧面積が検出された場合、制御部２０は、報知情報発生部が所定の報知情報を発生するように制御する（ステップＳ１７）
第２段階の入力を受け付けた際の報知情報は、
第１段階の入力を受け付けた際の報知情報と異なる態様の振動
　また、このような処理とともに、
制御部２０は、第２段階の入力を受け付けたことに応じて、入力装置１０において規定された第２段階の入力に対応する動作を行うように処理を行う（ステップＳ１８）
入力装置１０がカメラのシャッターボタンに適用されている場合、ステップＳ１８の処理は、入力装置１０が「全押し」された場合の動作、すなわちＡＥ、ＡＦ機能が適切に動作した後にシャッターを切る動作を行うことに相当する
　このように、本実施の形態によれば、入力装置１０は、第１の面積基準が満たされた後の押圧面積に基づいて、第２段階の入力を受け付ける第２の面積基準を設定する。したがって、操作者が初めて入力装置１０を操作する場合でも、押圧力の加減がわからずに、いきなり「全押し」をしてしまうリスクはない。また、複数の異なる操作者が同じ入力装置１０を用いても、入力装置１０が、それぞれの操作者の入力操作時の押圧力に順応して、適切な押圧面積の第２の面積基準を設定する。したがって、それぞれの操作者が入力装置１０の要求する押圧面積に合わせて操作を行う必要はない。
　また、本実施の形態の入力装置１０では、操作者が一旦押圧力を維持する動作を行わないと（すなわちＰｓの時点における押圧面積Ａｒｓが決定されないと）、第２段階の入力を受け付ける第２の面積基準が設定されない。そのため、入力装置１０は、第１段階の入力の処理を開始してから終了するまでに、すなわち第２段階の入力を受け付けるまでに、十分な時間を取ることが可能である。したがって、操作者がいきなり「全押し」の操作を行ったために、第１段階の入力に係る処理が正常に完了する前に第２段階の入力に係る処理が開始してしまう、という不都合を回避することもできる。」
　 
　よって、引用例には、特に「第１実施の形態」（上記カ）を参照すると、以下の発明（以下、「引用発明」という。）が開示されていると認められる。
「携帯電話機やゲーム機、デジタルカメラ等をはじめとする各種の電子機器に使用されている、操作者が操作入力を行うための入力装置において、
　入力の態様に応じて、複数の動作を割り当てることができ、
　操作者の入力の押圧力に応じて入力を２段階で受け付けることにより、これらの各段階に異なる動作を割り当てることができ、
　操作者が弱い押圧力によってボタンを押圧する状態を保つことにより、１段目の入力を行うことができ、このような入力状態は、「半押し」とも称され、以下、「第１段階の入力」と記され、
　操作者が第１段階の入力よりも強い押圧力によってボタンを押し込むことにより、２段目の入力を行うことができ、このような入力状態は、「全押し」とも称され、以下、「第２段階の入力」と記され、
　入力装置１０の内部構成においては、
　タッチパネル３０は、表示部３２と、入力部３４とを備え、
　面積検出部４０は、タッチパネル３０に対する押圧面積を検出するもので、例えば、マトリクススイッチで構成し、面積検出部４０は必ずしも、正確な押圧面積の数値を検出する必要はなく、時間経過と共に押圧面積がどのように変化していくのか検出できればよく、マトリクススイッチにより、検出される入力が始めは１点のみであったのが、２点、３点と円環状に内側から外側へと順次検出されていくことにより押圧面積が増加していると、分かるものであれば良く、
　入力部３４が光学式である場合は、面積検出部４０は、入力部３４上の赤外線が指やスタイラスペンで遮られた範囲を検出することにより、押圧面積の範囲を検出することができ、
　操作者が押圧入力をする際に使用する指やスタイラスペンなどの物体と、タッチパネル３０とが接触した面の面積を「押圧面積」と称し、
　入力部３４および面積検出部４０を、マトリクススイッチを用いて構成する場合は、マトリクススイッチを共用して、入力部３４および面積検出部４０を構成することができ、
　振動部５０は、タッチパネル３０に振動を伝えるもので、圧電素子または超音波振動子などを用いて構成し、この振動部５０が振動することにより、入力部３４を押圧している操作者の指などに対して振動を伝えることができ、振動部５０が報知情報発生部を構成し、
　入力装置１０による入力受付処理の流れは、
　制御部２０は、操作者の押圧入力による押圧面積が増すことにより、面積検出部４０が、第１段階の入力を受け付ける第１の面積基準を満たす押圧面積を検出したか否かを判定するステップＳ１１、
　ステップＳ１１において第１段階の入力を受け付ける第１の面積基準を満たす押圧面積が検出された場合、制御部２０は、報知情報発生部が所定の報知情報を発生するように制御するステップＳ１２、
　制御部２０は、第１段階の入力を受け付けたことに応じて、入力装置１０において規定された第１段階の入力に対応する動作を行うように処理を行うステップＳ１３、
　ここで、入力装置１０がカメラのシャッターボタンに適用されている場合、ステップＳ１３の処理は、入力装置１０が「半押し」された場合の動作、すなわちＡＥやＡＦを調整する機能をオンにする動作を行うことに相当し、
　制御部２０は、操作者が入力の押圧力を維持する時点Ｐｓにおける押圧面積Ａｒｓの決定を行うステップＳ１４、
　制御部２０は、押圧面積Ａｒｓに所定の加算幅の値を加えたものを、第２段階の入力を受け付ける第２の面積基準Ａｒ２として設定するステップＳ１５、
　このようにして設定された第２の面積基準Ａｒ２は、同じ加算幅の値を付加しても、操作者が入力の押圧力を維持した時点Ｐｓにおける押圧面積Ａｒｓに応じて異なるものになり、
　制御部２０は、操作者の押圧入力による押圧面積が増すことにより、面積検出部４０が、第２段階の入力を受け付ける第２の面積基準を満たす押圧面積を検出したか否かを判定するステップＳ１６、
　第２段階の入力を受け付ける第２の面積基準を満たす押圧面積が検出された場合、制御部２０は、報知情報発生部が所定の報知情報を発生するように制御するステップＳ１７、
　ここで、第２段階の入力を受け付けた際の報知情報は、第１段階の入力を受け付けた際の報知情報と異なる態様の振動であり、
　制御部２０は、第２段階の入力を受け付けたことに応じて、入力装置１０において規定された第２段階の入力に対応する動作を行うように処理を行うステップＳ１８、であって、
　ここで、入力装置１０がカメラのシャッターボタンに適用されている場合、ステップＳ１８の処理は、入力装置１０が「全押し」された場合の動作、すなわちＡＥ、ＡＦ機能が適切に動作した後にシャッターを切る動作を行うことに相当する、
　入力装置。」
４．対比
　本願発明と引用発明とを対比する。
　
（１）　引用発明の「表示部３２と、入力部３４とを備え」る、「タッチパネル３０」は、本願発明の「パネル」に相当する。
　引用発明の「操作者が押圧入力をする際に使用する指やスタイラスペンなどの物体」は、本願発明の「接触物」に相当する。
　よって、引用発明における「振動部５０は、
タッチパネル３０に振動を伝える
この振動部５０が振動することにより、入力部３４を押圧している操作者の指などに対して振動を伝える
振動部５０
報知情報発生部
（２）　引用発明の「押圧面積」は、「
操作者が押圧入力をする際に
タッチパネル３０とが接触した
電圧
データ
　また、引用発明の「面積基準」と、本願発明の「電圧閾値」とは、「データ閾値」である点で共通するといえる。
　よって、引用発明の「制御部２０」は、「入力装置１０による入力受付処理の流れ」において、「ステップＳ１１において第１段階の入力を受け付ける
第１の面積基準を満たす押圧面積が検出された場合
報知情報発生部が所定の報知情報を発生するように制御するステップＳ１２
電圧
電圧
電圧
データ
データ
データ
（３）　引用発明の「制御部２０」が、「入力装置１０による入力受付処理の流れ」において、「
制御部２０は
報知情報発生部が所定の報知情報を発生するように制御するステップＳ１２
押圧面積Ａｒｓの決定を行うステップＳ１４
押圧面積Ａｒｓに所定の加算幅の値を加えたものを、第２段階の入力を受け付ける第２の面積基準Ａｒ２として設定するステップＳ１５
第２の面積基準Ａｒ２は
操作者が入力の押圧力を維持した時点Ｐｓにおける押圧面積Ａｒｓに応じて異なる
電圧
電圧
データ
データ
（４）　引用発明の「入力装置」は、「
携帯電話機やゲーム機、デジタルカメラ等をはじめとする各種の電子機器
入力装置
　したがって、本願発明と引用発明との一致点・相違点は次のとおりである。
　
＜一致点＞
「パネルに接触している接触物に触感を呈示する触感呈示部と、
　前記パネルに対する押圧に基づく
データ
データ
データ
　前記制御部は、前記触感呈示部が触感を呈示した後、前記パネルに対する押圧に基づく
データ
データ
　
＜相違点＞ 
　本願発明の制御部は、「前記パネルに対する押圧に基づく
電圧
電圧
電圧
電圧
電圧
　
５．当審の判断
＜相違点＞について
　本願発明の「押圧に基づく電圧と当該電圧に対応する電圧閾値とに基づいて前記触感呈示部を制御する」という文言で表される技術的事項は、その文言から、「『押圧に基づく電圧』といい得る電圧とこれに対応する電圧閾値とに何らかの形で基づいて前記触感呈示部を制御する」こと全般を含むと解する他はないから、「『押圧に基づく電圧』といい得る電圧とこれに対応する電圧閾値とに間接的に基づいて触感呈示部を制御する」ことも当然に含み、例えば、「『押圧に基づく電圧により推定される面積』と『押圧に基づく電圧閾値により推定される面積基準（面積閾値）』に何らかの形で基づいて前記触感呈示部を制御する」といった事項も当然に含んでいると解される。
　また、同様に、「押圧に基づく電圧に応じて前記電圧閾値を変更する」という文言で表される技術的事項についても、「『押圧に基づく電圧により推定される面積』に応じて『押圧に基づく電圧閾値により推定される面積基準（面積閾値）』を変更する」といった事項も当然に含んでいると解される。
　以上を前提に、引用発明において上記相違点に係る本願発明の構成を採用することが当業者にとって容易であったか否かを以下に検討する。
　引用例において、面積検出部４０に「例えば、マトリクススイッチ」を用いるのは、例示であって、光学式の入力部を用いる場合、赤外線により押圧面積を検出できるという異なる例示があることや、「正確な押圧面積の数値を検出する必要はなく、…押圧面積がどのように変化していくのか検出できれば」よいという、面積検出検出部の選定条件も記載されることから、引用例には、押圧面積を検出するために、２つの例示されたもの以外の、各種の検出手段を採用する示唆があるといえる。
　一般に、押圧に基づく電圧から、押圧面積を求めることは、周知技術である（下記＜拒絶査定で引用された引用文献３：特開２００５−１９６３１０号公報＞、＜拒絶査定で引用された引用文献４：特開２０１１−１２９０９１号公報＞、＜特開２００１−２３６１６２号公報＞を参照。））。
＜引用文献３：特開２００５−１９６３１０号公報＞
（段落【０００９】
「【０００９】
　しかしながら、
従来のタッチパネルにおいては、タッチパネルが押されている位置を検知することは可能であるが、タッチパネルが押されている領域の長さ、面積
等を検知することができないという問題があった
また
圧力の強さを検知することができないという問題があった
段落【００８２】−【００８３】
「【００８２】
　このように構成されるタッチパネルにあっては、
タッチパネルが押されている領域の長さ、面積を検知することが可能となる
ペン先の太さに応じて、細書き、又は太書き等を判断し、液晶ディスプレイにペン先の大きさに相当する太さの線分を表示するような装置を構成することが可能となる
【００８３】
　また、
タッチパネルが押されている圧力の強さを特定することが可能であるため
タッチパネルに加わる圧力の大きさに応じて動作するビデオカメラを構成することが可能となる
段落【０１２２】−【０１２７】
「【０１２２】
　（実施の形態４）
　図１３は、実施の形態４に係るタッチパネルシステムを模式的に示した構成図である。タッチパネルシステムは、実施の形態１で示したタッチパネルと、タッチパネルに略平行に配置されている表示板７ａと、表示板７ａ及びタッチパネルの間に配置されている圧電膜８ａとから構成されている。
【０１２３】
　タッチパネルシステムは、従来のタッチパネルが備える２つの抵抗膜、出力部（不図示）及び接続経路５０２を備えるタッチパネルと、タッチパネルの下層に対向配置され、
圧力に応じて電圧を発生する圧電膜８ａと
圧電膜８ａの電圧を出力する電圧出力部８ｂと
制御部３０４は、圧電膜８ａから電圧出力部８ｂに出力される電圧の値を検出する電圧検出手段を備えている
【０１２４】
　タッチパネルは、接触可能に対向配置されている第１及び第２抵抗膜１ａ、１ｂを備えている。第１抵抗膜１ａは、第２抵抗膜１ｂと対向しない面にＰＥＴ製の第１絶縁膜５ａを備え、第２抵抗膜１ｂは、第１抵抗膜１ａと対向しない面にガラス基板６を備えている。
【０１２５】
　このように構成されるタッチパネルシステムにおいては、タッチパネルが押された場合、タッチパネルにより、タッチパネルが押されている位置を検知することができ、
圧電膜８ａにより、タッチパネルが押されている圧力を検知することができる
従って、タッチパネルが押されている状態を、タッチパネル単体に比べ、より詳細に検知することが可能となる
【０１２６】
　例えば、タッチパネルが押された場合、圧電膜８ａに発生した電圧の値を、電圧出力部８ｂを介して検出することにより、タッチパネルが押されている圧力の強さを特定することができるが、
圧力の強さと、タッチパネルが押される領域の面積との対応関係を制御部３０４が記憶している場合
【０１２７】
　
なお、このようなタッチパネルシステムを具体的に実現するためには、電圧検出手段により検出した、圧電膜８ａの電圧値と、第１及び第２抵抗膜１ａ、１ｂが接触している領域の面積との対向関係を記憶している記憶手段と、前記対応関係と、圧電膜８ａの電圧値とから前記領域の面積を特定する面積特定手段とを、タッチパネルシステムに備えると良い
＜引用文献４：特開２０１１−１２９０９１号公報＞
（段落【００１８】−【００２４】
「【００１８】
　
抵抗膜方式のセンサは、複数の透明電極が一定間隔でマトリックス状に大綱配置された電極シートを有しており
電圧値の変化により、押圧された操作位置の座標が特定される
　　・・・（中略）・・・
【００２０】
　振動子１７Ａ，１７Ｂは、積層された負数の薄板状の圧電素子を電極板で挟んで樹脂製の筐体に収納したパッケージ型の駆動素子である。振動子１７Ａ，１７Ｂは、図１に示すように、基板１とカバーパネル１１との間に挟まれた状態で、表示パネル１５及びタッチセンサ１０の両側に対をなすように、一つずつ配設される。振動子１７Ａ，１７Ｂは、実際には、基板１及びカバーパネル１１の紙面を貫く方向の辺と略同じ長さを有する細長い駆動素子である。振動子１７Ａ，１７Ｂは、電圧が印加されると、積層方向に歪んで変位するため、カバーパネル１１に振動を生成するための振動生成部として用いられる。また、振動子１７としては、圧電素子やボイスコイルや振動モータなどを用いてもよく、振動子１７の数も１つあるいは２つ以上の何れでもよい。
【００２１】
　
接触状態検出部１２は、タッチセンサ１０から出力される操作位置の座標を表す電圧値に信号処理を行う回路である
上述のように複数の透明電極をマトリクス状に配列した抵抗膜方式のタッチセンサ１０を用いている場合には、押圧によって接触が生じた電極の数から接触面積を求めることができるとともに
【００２２】
　また、タッチセンサ１０及び接触状態検出部１２は、座標入力面上でなされた操作入力の押圧度合を検出する押圧度合検出部としての機能も有する。
【００２３】
　
接触状態検出部１２は、操作位置の座標を表す電圧値に上述の信号処理を行い
接触面積を表す面積情報を出力する
操作者による押圧度合が高くなると、対向配置されたタッチセンサ１０の電極シートが接触する接触面積が増えるため、電極シート間の抵抗値が下がり、接触状態検出部１２から出力される面積情報を表す電圧値は低くなる。一方、押圧度合が低い場合は、前記接触面積が減るため、面積情報を表す電圧値は高くなる。面積情報の変化は、操作者によるカバーパネル１１の押圧度合の変化を表す情報として利用することができる
【００２４】
　上述したことから接触状態検出部１２において、タッチセンサ１０からの信号をもとに、指とカバーパネル１１との接触判定、指とカバーパネル１１との間の接触領域の圧力分布、重心座標などの算出がなされる。」、の記載を参照。）
＜特開２００１−２３６１６２号公報＞
（段落【００２７】
「【００２７】図６は抵抗体４０の出力端子から出力されるアナログ信号（電圧）の特性を示す図である。電源投入時には、抵抗体４０に電圧が印加されるため、操作ボタン２２１が押されていなくとも、出力端子からは一定のアナログ信号（電圧）Ｖｍｉｎが出力される（図中ａの位置）。次いで、操作ボタン２２１が押圧操作されても、導電部材５０が抵抗体４０に接触するまでは、該抵抗体４０の抵抗値が変化しないため、抵抗体４０からの出力はＶｍｉｎのまま変化しない。さらに操作ボタン２２１が押圧されて、導電部材５０が抵抗体４０に接触すると（図中ｂの押圧位置）、
その後は操作ボタン２２１の押圧力に対応して抵抗体４０に対する導電部材５０の接触面積が増加するため
電圧）が増加する
導電部材５０が最も変形したところで、
電圧）が最大Ｖｍａｘとなる
　したがって、タッチパネルに対する押圧面積と面積基準（面積閾値）との対比に基づいて制御を行う引用発明に、押圧に基づく電圧から、押圧面積を求める、上記周知技術を適用することによって、パネルに対する押圧に基づく電圧と当該電圧に対応する電圧閾値とに基づいて前記触感呈示部を制御するとともに、前記パネルに対する押圧に基づく電圧に応じて前記電圧閾値を変更する、上記相違点に係る構成とすることは、当業者が容易に想到し得たものである。
　
　さらに、本願発明の効果も、引用発明及び周知技術に基づいて、当業者が予測し得る範囲内のものである。
　
　なお、請求人は、審判請求書において、
「本願発明は、「パネルに対する押圧に基づく電圧と当該電圧に対応する電圧閾値とに基づいて触感呈示部を制御する」、「パネルに対する押圧に基づく電圧に応じて前記電圧閾値を変更する」ことに特徴があります。これに対し、審査官殿も御認識の通り、
引用発明１は
押圧面積
電圧
周知の技術
電圧から押圧面積を求めること
電圧に基づいて触感呈示部を制御することではありません
旨を主張している。
　しかし、引用発明も、押圧力を求めるために押圧面積を求めているものである（上記「３．引用例、引用発明について」、「ウ」（発明が解決しようとする課題、段落［００２６］）の「したがって、かかる事情に鑑みてなされた本発明の目的は、押圧力に基づく押圧面積に応じた複数段階の入力を、操作者の操作ごとに異なる押圧力にて受け付けることができる入力装置を提供することにある。」の記載を参照。）。そして、上述のとおり、引用例には、押圧面積を検出するために、各種の検出手段を採用する示唆があるといえ、タッチパネルに対する押圧面積に基づいて制御を行う引用発明に、押圧に基づく電圧から、押圧面積を求める周知技術を適用することによって、上記相違点に係る構成とすることは、当業者が容易に想到し得たものである。
　請求人は、「圧電素子等を押圧検出素子として機能させて、適切に触感を呈示することができるという顕著な効果」について主張する（審判請求書、４ページ１１−１６行）が、上述のとおり、本願発明の効果も、引用発明及び周知技術に基づいて、当業者が予測し得る範囲内のものである。
　仮に、これが、「触覚呈示部」の圧電素子等を、押圧検出素子に共用する効果の主張であれば、本願の請求項に、「押圧検出素子」を共用する記載はないから、請求項の記載に基づかない主張である。
　また、仮に、これが、押圧力を電圧に変換できるという「圧電素子」を用いたという主張であれば、上記＜引用文献３：特開２００５−１９６３１０号公報＞も、上記摘記のとおり、同様に、「圧電素子」（圧電膜）を利用するものである。そもそも、本願の請求項に「押圧検出素子」も、その機能、特性も記載はないから、請求項の記載に基づかない主張である。
（なお、念のため、たとえ、本願発明の「制御部」が、「面積」を介さず、触感呈示部を制御し、電圧閾値を変更するものであるという主張であるとしても、押圧力を電圧に変換できる点は、慣用される「圧電素子」等が本来備える機能であって（必要ならば、＜特開平１１−２１２７２５号公報＞の段落【００１６】「…
圧電素子などが、力学的作用と電気信号とを双方向で変換可能な機能手段（以下、「双方向機能手段」）であること
荷重検出部１２は、例えば、歪みゲージセンサや圧電素子等の荷重に対して反応する素子を用いて構成する
ｔ２の時点で検出している押圧荷重Ａと、第１の入力解除荷重基準Ｆｒ１から第２の入力受付荷重基準Ｆａ２までの間隔をＢから
新たに
変更後の第２の入力受付荷重基準）Ｆａ’２（Ｆａ’２＝Ａ＋Ｂ／２）設定する
このように、
第２の入力受付荷重基準をｔ２の時点において荷重検出部１２が検出している押圧荷重に基づき新たに設定することにより
圧電素子１３の出力電圧を定期的に取得して、タッチセンサ１１にかかる押下荷重を検出する（Ｓ２０１）
押下振動パターンを出力する（Ｓ２０５）
振動通知後、引き続き圧電素子１３の出力電圧を監視して、タッチセンサ１１にかかる押下荷重を検出する
押圧力に基づく押圧面積に応じた
６．むすび
　したがって、本願発明は、引用発明、及び、周知技術に基づいて、当業者が容易に発明をすることができたものであるから、本願は、特許法第２９条第２項の規定により特許を受けることができない。
　よって、結論のとおり審決する。